(57)【要約】      （修正有）【課題】指の又で挟んで活用する軽量携帯品保持補助用具（装置）の二本の支柱が、レール付きの台に水平に収納されている時、思わぬ衝撃を受けて水平状態から角度を僅かに変化させられたことに起因する、不意な支柱の立ち上がりの発現を未然に防止すること。【解決手段】軽量携帯品保持補助用具（装置）の二枚の団扇状の板の間に設けた隙間を板状の物を嵌めたり取り外したりするための手段として、爪の先端の形状を半円状か放物線状に形成した可動片を可動片支持盤に組み込み、これを軽量携帯品保持補助用具（装置）に装着して置けば、二本の支柱の立ち上げ及び収納時に団扇状の板二枚の縁が可動片の爪を引っかけ、隙間に嵌めたり取り外したりの現象が発生するので、これを利用して、不意な支柱の立ち上がり阻止に活用する。【選択図】  図１
2004181171.tif 000002
【特許請求の範囲】
【請求項１】
団扇状の板の付いた二本の支柱を×型に交差させ、交点に取り付けた回転軸を中心に動く団扇状の板と、支柱を取り付けた台との間に出来る隙間を利用して活用する軽量携帯品保持補助用具（装置）に、爪の先端を半円状か放物線状に形成した支柱立ち上がり阻止用の可動片を取り付けた、ストッパー付き軽量携帯品保持補助用具（装置）。
【発明の詳細な説明】
【０００１】
【発明の属する記述分野】
この発明は、団扇状の板の付いた二本の支柱を×型に交差させ、そこに作り出された隙間を利用し、指の又で挟んで使用する軽量携帯品保持補助用具（装置）に、爪の先端を半円状か放物線状に形成した支柱立ち上がり阻止用の可動片を取り付けて活用するものである。
【０００２】
【従来の技術】
従来、軽量携帯品保持補助用具（装置）に設けてある団扇状の板付き支柱二本の立ち上がりを防いでいるのは、レールに沿って動く滑り軸を、互いに水平方向に近寄らせようとして働く、引きバネの作用によるものであって、支柱の角度が水平状態から僅かに変化しだだけでも立ち上がってしまい、指の又で挟んで活用していない時の、思わぬ衝撃を受けての不意な支柱の立ち上がりは避け難いものであった。
【０００３】
【発明が解決しようとする課題】
本発明は、軽量携帯品保持補助用具（装置）に設けてある団扇状の板付き支柱二本が、思わぬ衝撃を受けて水平状態から角度を僅かに変化させられたことに起因する、指の又で挟んで活用していない時の不意な支柱の立ち上がりの発現を未然に防止すること。
【０００４】
【課題を解決するための手段】
団扇状の板付き支柱二本の不意な立ち上がりを防ぐには、二枚の団扇状の板の隙間をなくせば効果が期待出来るだろうとの考えから、立ち上がり阻止用の可動片の取り付けを考えた。
これを図で示せば、隙間（７）をなくせば両方の団扇状の板が密着した事と同じ状態になり、団扇状の板付き支柱（１）と（２）の立ち上がりは不可能になる。そこで、この状態を意図的に作り出せるよう、可動片（１１）を隙間（７）に嵌め込むことの出来る装置として、可動片（１１）の運動保持用の回転軸（１２）と、可動片（１１）の可動範囲を限定させる可動範囲限定物（１３）を取り付けた可動片支持盤（１４）に、可動片（１１）を装着したものを用意し、レール付き台（３）に結着させる。
可動片支持盤（１４）の取り付け位置は、レール付き台（３）の中心付近で可動片（１１）の爪（１５）が隙間（７）に確実に納まる所とする。可動片支持盤（１４）は、レール付き台（３）の側面に始めから作り出して置くことも可能である。
軽量携帯品保持補助用具（装置）の団扇状の板付き支柱（１）と（２）をレール付き台（３）の中に水平に留めて置くために活用出来るストッパーの種類として、滑り軸（６）を銜え込む形態、団扇状の板付き支柱（１）若しくは（２）の柱を挟み込む形態、団扇状の板の一部分を鉤状の物で引っかける形態等、種々数え上げられるが、本案では、支柱立ち上げ角度調節用に設けた隙間（７）を有効に利用出来る、可動片（１１）を隙間（７）に嵌め込む形態が最適であるとの結論に達した。
【０００５】
【発明の実施の形態】
以上の構成であるから、ストッパー付き軽量携帯品保持補助用具（装置）を使用しない時は、可動片（１１）の爪（１５）を団扇状の板の間に設けてある隙間（７）に確実に嵌め込めば、不意の支柱の立ち上がりに驚かされずにすむ。又、ストッパー付き軽量携帯品保持補助用具（装置）を使用して、軽量携帯品の保持及び軽量携帯品本体上のボタン類の操作を始める時には、可動片（１１）の爪（１５）を隙間（７）から外し、団扇状の板の食み出し部（１０）に上向きの力を加えれば団扇状の板付き支柱（１）と（２）は、引きバネ（４）の力で立ち上がり、瞬時に使用可能となる。
◎可動範囲限定物（１３）は、可動片（１１）の自由度があまりにも大きすぎてストッパー付き軽量携帯品保持補助用具（装置）の使用時に指に触れて支障を来す所まで動いてしまうのを防止するためと、他にも、団扇状の板付き支柱（１）と（２）をレール付き台（３）に水平に納める時に、団扇状の板が可動片（１１）の爪（１５）を引っかけて捕捉して共に下降することの出来る位置に留めて置くために活用するものである。
◎団扇状の板二枚は、支柱の立ち上げ時には隙間の間隔を狭めながら、支柱収納時には隙間の間隔を広げながら、回転軸（８）を中心に円運動をする、そのため、可動片（１１）の爪（１５）の先端を、半円状か放物線状に形成しておけば、団扇状の板二枚はその縁を擦りながら上下するので爪（１５）もつられて上下する現象が発生するので、これを活用する。
【０００６】
【実施例】
以下、本案の実施例について説明する。
（イ）  可動片支持盤（１４）には、中央部に可動片（１１）を取り付けるために、回転軸（１２）と可動範囲限定物（１３）を差し込めるよう上下二段の中空部を用意しておく。
（ロ）  可動片支持盤（１４）の上段の中空部に可動範囲限定物（１３）の脚を左右両方とも差し込む。
（ハ）  可動片支持盤（１４）の下段の中空部に回転軸（１２）を差し込みながら中心部に可動片（１１）を取り付ける。
（ニ）  全ての部品を装着し終えた可動片支持盤（１４）を、レール付き台（３）の中心付近で可動片（１１）の爪（１５）が隙間（７）に確実に納まる所に結着する。
（ホ）  ストッパー付き軽量携帯品保持補助用具（装置）の使用を終えて団扇状の板付き支柱（１）と（２）の角度を水平状態に戻す時に、可動片（１１）がレール付き台（３）に倒れ込むと、爪（１５）が団扇状の板付き支柱（２）の二本の脚のうちの一本の下に潜り込みこれと衝突して以後の動きを止めてしまい、レール付き台（３）に収納することが不可能となるので、ストッパー付き軽量携帯品保持補助用具（装置）を使用している時は、ゴム、バネ等を利用して、可動片（１１）がレール付き台（３）に倒れ込むのを辛うじて抑えられる程度の力で、可動範囲限定物（１３）に引き寄せ、又は、押し付ける等の対策を講じて置かなければならない。
【０００７】
【発明の効果】
本発明は以上のような構造であるから、団扇状の板の間に設けられた隙間に可動片の爪を嵌め込めば、不意な支柱の立ち上がりを防ぐことが可能となり、又、可動片の爪を隙間から外せば、支柱の立ち上がりには全く支障はなくなるので、軽量の携帯品本体に軽量携帯品保持補助用具（装置）を設置した状態の物を身近に置いたり、手にしている時に、思わぬ衝撃を受けて団扇状の板付き支柱が不意に立ち上がり驚かされたり、手に違和感を与えられたり等の不快感を取り除くことが出来る。
ストッパー付き軽量携帯品保持補助用具（装置）の可動片の爪の先端の形状を半円状か放物線状に形成しておくことの最大の利点は、団扇状の板二枚が、円運動をしながらレール付き台の上を上下する時に、可動片の爪を引っかけて捕捉し、その縁を擦りながら、これに動力を伝えて共に上下運動してくれることにある。
よって、ストッパー付き軽量携帯品保持補助用具（装置）を利用する時には、軽量携帯品保持補助用具（装置）を使う時よりも少し強めに団扇状の板の食み出し部に上向きの力を加えれば、可動片は隙間から外れてくれ、支柱は立ち上がり瞬時に使用可能状態となる。更に、ストッパー付き軽量携帯品保持補助用具（装置）を使い終えて、団扇状の板付き支柱二本をレール付き台に収納する時には、団扇状の板二枚に下向きの力を加えていくと、板の縁が可動片の爪に引っかかり、これを動かして隙間に嵌め込みながら水平状態を保った所で停止してくれる。
【図面の簡単な説明】
【図１】本発明の斜視図  （使用可能状態）
【図２】本発明の平面図  （平らに納めた状態）
【図３】本発明の正面図  （平らに納めた状態）
【図４】本発明の側面図  （平らに納めた状態）
【符号の説明】
１  団扇状の板付き支柱（一本脚）
２  団扇状の板付き支柱（二本脚）    ３  レール付き台
４  引きバネ    ５  交点    ６  滑り軸    ７  隙間      ８  回転軸
９  滑り軸止め    １０  食み出し部
１１  可動片    １２  回転軸（部品用）    １３  可動範囲限定物
１４  可動片支持盤    １５  爪
【図１】
2004181171.tif 000003
【図２】
2004181171.tif 000004
【図３】
2004181171.tif 000005
【図４】
2004181171.tif 000006